(57)【要約】      （修正有）【課題】木造の小屋を設置する現地まで搬送し易くすると共に、搬送中もしくは、設置する際にゆがまないような造りとし、また、小屋の温度調節並びに換気をよくする。【解決手段】木造の小屋にこれを貨物自動車等で搬送し易いように、移設用金具５を取り付け、また、移設に伴うゆがみ防止の措置９を施すと共に、通気開口部を設け、小屋の温度調節並びに換気を良くする。更に、現地に据付けるための、基礎石（コンクリート製）４を小屋の大きさに合わせて予め作成しておき速やかに現地に据付けられるようにする。【選択図】図３
0003106468.tif 000002
【実用新案登録請求の範囲】
【請求項１】
移設用金具（脱着可）をとりつけた木造移動式ハウスを考案し、現地での取り付け時間を大幅に短縮し、また予め製品化して用意しておくことにより、注文を受けてから現地へ届ける時間も短縮することが出来、また熟練した技術者を確保することにより優れた製品をつくることができる。
【請求項２】
移設に伴う木造移動式ハウスのゆがみ防止の装置
【請求項３】
木造移動式ハウス内の温度調節及び換気のための通気開口部
【請求項４】
木造移動式ハウスを現地に取り付けるための基礎石（コンクリート製）
【考案の詳細な説明】
【考案の詳細な説明】
【０００１】考案の属する技術分野
この考案は、木造の小屋に考案を施し、移動可能な造りとして、予め組み立てたものを現地に据え付けることにより従来の現地組立作業により行なっていた作業工程から見ると大幅な時間短縮を図るものである。
【０００２】従来の技術
従来は、物置小屋などは、スチール製の組み立て式のものが多く木造のものとしては、犬小屋程度のものが多かった。
【０００３】考案が解決しようとする課題
従来木造の比較的大きな移動式の小屋が出来なかった事については、次のような問題点があったからである。
１  大きな木造の小屋になると重量があり、持ち運びができなかった。
２  比較的大きな木造の小屋になると、移動の時にゆがみが発生しやすく、運搬に適さなかった。
３  木造の性質上地面に直接置くと、雨などで基礎が湿って腐食しやすかった。
【０００４】課題を解決するための手段
その解決手段を図面を追いながら説明すると、
（イ）図１は、移動式ハウスの全体図です。
（ロ）図２は、移動式ハウスを自動車に積載し易いように移設用金具を取り付けた状態を示したものです。
また、この移設用金具は、脱着可能とし、現地に設置後は、ねじ込み穴は、コーキング充填とする。
（ハ）図３に示すように、火打ばりを四隅に入れ運搬中あるいは、設置の際の小屋のゆがみを防止できるようにする。
（ニ）図４に示すような移動式ハウスに通気口を設け室内の温度調節や換気が出来るようにする。
（ホ）図５に示すように移動式ハウスを現地に据え付ける時に予めその大きさに合わせた基礎石（コンクリート製）を作成しておき注文を受けたら速やかに注文者の指定した場所にハウスを設置できるようにする。
【０００５】考案の効果
これまでスチール製品が多かった物置を初めとする小規模な小屋が簡単に設置できるようになれば、人に優しく自然に優しい木材の長所を生かして用途の拡大が期待できる。
【０００６】産業上の利用可能性
戦後沢山植林され、その後外材輸入のため国内産木材の利用が進まず山林は、密植状態で間伐を必要としている状態である。
このような中で、当考案による移動式ハウスは、間伐材を利用して製造できるので、山間地である当地の地場産業の振興にもつなげる事ができる。
また、大きさや、構造を少し変えれば、山間部のバス停で、児童、生徒がスクールバスを待つ間の雨宿りの場所として、或いはお年寄りの休める場所としても、広く用途の拡大が期待できる。  更にまた、カラスの被害に悩む都市部の生ごみ収集場所などにも活用が期待される。
【図１】
0003106468.tif 000003
0003106468.tif 000004
【図２】
0003106468.tif 000005
【図３】
0003106468.tif 000006
【図４】
0003106468.tif 000007
【図５】
0003106468.tif 000008
【手続補正書】
【提出日】平成16年7月23日(2004.7.23)
【手続補正１】
【補正対象書類名】実用新案登録請求の範囲
【補正対象項目名】全文
【補正方法】変更
【補正の内容】
【実用新案登録請求の範囲】
【請求項１】
脱着可能な移設用金具を取り付け、移設に伴うゆがみ防止の装置と、ハウス内温度調節及び換気のための通気開口部を備えた木造移動式ハウス。
【請求項２】
つりボルトが屋根を貫通して柱にボルト締めをして取り付けることができる装置を設けたことを特徴とする請求項１に記載の木造移動式ハウス。
【請求項３】
移設に伴うゆがみ防止のために火打ちばりを設けたことを特徴とする請求項１に記載の木造移動式ハウス。
【請求項４】
ハウス内の温度調節及び換気のための通気開口部を設けたことを特徴とする請求項１に記載の木造移動式ハウス。
【手続補正２】
【補正対象書類名】明細書
【補正対象項目名】全文
【補正方法】変更
【補正の内容】
【考案の詳細な説明】
【技術分野】
【０００１】  この考案は、木造の小屋に考案を施し、移動可能な造りとして、予め組み立てたものを現地に据付けることにより従来の現地組み立て作業により行なっていた作業工程から見ると大幅な時間短縮を図るものである。
【背景技術】
【０００２】  従来は、物置小屋などは、スチール製の組み立て式のものが多く木造のものとしては、犬小屋程度のものが多かった。
【考案が解決しようとする課題】
【０００３】  従来木造の比較的大きな移動式の小屋が出来なかった事については、次のような問題点があったからである。
１．大きな木造の小屋になると重量があり、持ち運びができなかった。
２．比較的大きな木造の小屋になると、移動の時にゆがみが発生しやすく、運搬に適さなかった。
３．室内温度調節のための装置が無かった。
【課題を解決するための手段】
【０００４】１．脱着可能な移設用金具を取り付け、自動車で移動式ハウスを据付ける現地への搬送を容易にする。
２．木造移動式ハウスを据付ける現地までの搬送中にゆがみを生じないように、ゆがみ防止のために火打ちばりを設ける。
３．ハウス内の温度調節及び換気のために通気開口部を設ける。
【考案の効果】
【０００５】  これまでスチール製品が多かった物置を初めとする小規模な小屋が簡単に設置できるようになれば、人に優しく自然に優しい木材の長所を生かして用途の拡大が期待できる。
【考案を実施するための最良の形態】
【０００６】（イ）図１は、木造移動式ハウスの全体図です。
（ロ）図２は、木造移動式ハウスの側面図です。
（ハ）図３は、木造移動式ハウスの立面図です。
（ニ）図４は、木造移動式ハウスの平面図です。
（ホ）図５は、木造移動式ハウスを自動車に積載し易いように移設用金具を取り付けた状態を示したものです。  また、この移設用金具は、脱着可能とし、現地に設置後は、ねじ込み穴は、コーキング充填とする。
（ヘ）図６に示すような火打ちばりを四隅に入れ運搬中あるいは、設置の際の小屋のゆがみを防止できるようにする。
（ト）図７に示すような通気口を設け室内の温度調節や換気が出来るようにする。
（チ）図８に示すように、木造移動式ハウスを現地に据付ける時に予めその大きさに合わせたコンクリート製の基礎石を作成しておき、注文を受けたら速やかに注文者の指定した場所に木造移動式ハウスを設置できるようにする。
【産業上の利用可能性】
【０００７】戦後沢山植林され、その後外材輸入のため国内産材の利用が進まず山林は、密植状態で間伐を必要としている状態である。
このような中で、当考案による木造移動式ハウスは、間伐材を利用して製造できるので山間地である当地の地場産業の振興にもつなげる事ができる。
また、大きさや、構造を少し変えれば、山間部のバス停で児童、生徒がスクールバスを待つ間の雨宿りの場所として、或いは、お年寄りの休める場所としても、広く用途の拡大が期待できる。  更にまた、カラス等の被害に悩む都市部の生ごみ収集場所などにも活用が期待される。
【図面の簡単な説明】
【０００８】
【図１】移動式ハウスの全体図
【図２】移動式ハウスの側面図
【図３】移動式ハウスの立面図
【図４】移動式ハウスの平面図
【図５】移動式ハウスに移設用金具を取り付けた図
【図６】火打ちばりの説明図
【図７】通気口構造を示す図
【図８】基礎構造を示す図
【手続補正３】
【補正対象書類名】図面
【補正対象項目名】全図
【補正方法】変更
【補正の内容】
【図１】
0003106468.tif 000009
【図２】
0003106468.tif 000010
【図３】
0003106468.tif 000011
【図４】
0003106468.tif 000012
【図５】
0003106468.tif 000013
【図６】
0003106468.tif 000014
【図７】
0003106468.tif 000015
【図８】
0003106468.tif 000016